Podtech/llm-jp-corpus-v4-ja_patent huggingface dataset:
(57)【要約】【課題】  洗濯を始める前に、別洗いするものを洗濯カゴから、ひとつひとつ取り出し、分別するのは時間も労力もかかる。また複数の洗濯カゴを並べるとスペースも要る。  本発明は、コンパクトで簡単に洗濯物を分別できる親子洗濯カゴを提供する。【解決手段】  持ち手付の小さなカゴを、その上部にフック部を設け、また、小さなカゴのフック部がある面の下部に、突起部を設け、持ち手付の大きなカゴの縁に、内側、または、外側よりひっかけ、大小のカゴを組み合わせることによって、コンパクトで簡単に洗濯物を分別できることを特徴とする親子洗濯カゴ。【選択図】図１
2013070980.tif 000002
【特許請求の範囲】
【請求項１】
持ち手付の小さなカゴを、その上部にフック部を設け、また、小さなカゴのフック部がある面の下部に、突起部を設け、持ち手付の大きなカゴの縁に、内側、または、外側よりひっかけ、大小のカゴを組み合わせることによって、コンパクトで簡単に洗濯物を分別できることを特徴とする親子洗濯カゴ。
【発明の詳細な説明】
【技術分野】
【０００１】  本発明は、持ち手付の小さなカゴを、その上部にフック部を設け、また、小さなカゴのフック部がある面の下部に、突起部を設け、持ち手付の大きなカゴの縁に、内側、または、外側よりひっかけ、大小のカゴを組み合わせることによって、コンパクトで簡単に洗濯物を分別できる親子洗濯カゴに関するものである。
【背景技術】
【０００２】  従来、洗濯をする前に、大きなカゴからひとつひとつ洗濯物を取り出し、部分洗いするもの、色移りするものなどを分別してから、洗濯にとりかかっていた。
なお、洗濯カゴの中に洗濯ネットを引っ掛け、分別するものがある。（特許文献１参照）
【先行技術文献】
【特許文献】
【０００３】
【特許文献１】  特開２００９−２４７８６５
【発明の概要】
【発明が解決しようとする課題】
【０００４】  洗濯を始める前に、色柄物や汚れがひどく部分洗いが必要なものを、ひとつひとつ洗濯カゴから取り出し、分別してから洗濯にとりかかるので、時間と労力がかかる。
また、分別しきれず、色移りなどのトラブルもあった。
しかし、分別のために複数の洗濯カゴを並べるには、スペースが必要である。
本発明は、以上の問題点を解決するためになされたものである。
【課題を解決するための手段】
【０００５】  持ち手付の小さなカゴを、その上部にフック部を設け、また、小さなカゴのフック部がある面の下部に、突起部を設け、持ち手付の大きなカゴの縁に、内側、または、外側よりひっかけ、大小のカゴを組み合わせることによって、コンパクトで簡単に洗濯物を分別できることを特徴とする親子洗濯カゴ。
【発明の効果】
【０００６】  洗濯物をカゴに入れる段階で分別できるので、洗濯前にひとつひとつ取り出して分別する必要がなく、すぐに洗濯にとりかかれ、時間と労力が省かれる。
また、分別ミスでの色移りなどのトラブルも防ぐことができる。
大小の洗濯カゴに分けて入れるだけなので、だれでもが簡単に洗濯物の分別ができる。
小さな洗濯カゴは、大きな洗濯カゴの内側にも外側にもフック部でひっかけられるので、洗濯物の量や設置スペースに応じて、簡単にセットし直せる。
小さなカゴは大きなカゴの内側にセットできる大きさなので、カゴが大小２個にもかかわらず、大きなカゴ１個分のスペースで使用できる。
小さなカゴは簡単に取り外すことができる。
また、それぞれ持ち手付なので、個別に洗濯カゴとしても使用できる。
【図面の簡単な説明】
【０００７】
【図１】  本発明の小さなカゴを大きなカゴの内側にセットした状態の斜視図である。
【図２】  本発明の小さなカゴを大きなカゴの外側にセットした状態の斜視図である。
【図３】  本発明の小さなカゴのフック部と突起部の断面図である。
【発明を実施するための形態】
【０００８】  以下、本発明の実施の形態を説明する。
（イ）持ち手付の大きなカゴ（１）の内側に入る大きさの持ち手付の小さなカゴ（２）の上部に大きなカゴ（１）の縁に引っ掛けられるフック部（３）を設ける。
（ロ）小さなカゴ（２）のフック部（３）がある面の下部に、大きなカゴにセットしたとき、小さなカゴが傾かないよう突起部（４）を設ける。
本発明は以上のような構造である。
本発明を使用するときは、大小のカゴを組み合わせることによって、小さなカゴ（２）のフック部（３）を、大きなカゴ（１）の縁に内側、または、外側から引っ掛けセットする。
このとき小さなカゴ（２）の突起部（４）が大きなカゴ（１）の側面に接し、洗濯物の重みで傾くのを防ぎ安定させる。
洗濯物を洗濯の方法に応じて大きなカゴ（１）、小さなカゴ（２）にそれぞれ分別して入れて使用する。
【符号の説明】
【０００９】１  大きなカゴ
２  小さなカゴ
３  フック部
４  突起部
【図１】
2013070980.tif 000003
【図２】
2013070980.tif 000004
【図３】
2013070980.tif 000005
(57)【要約】【課題】  バッグの持ち手によって肩の一部分に集中していたバッグの重さを、ショルダーパッド内のスポンジと薄いプラスティック等の板によって分散し、肩への負担を緩和することができる。  通勤・通学中の重いバッグによる肩こりや偏頭痛の原因にもなりかねない肩への負担が少しでも楽になるよう、このショルダーパッドを提供する。【解決手段】  布製の袋のスポンジ交換口からスポンジ、薄いプラスティック等の板を入れ、両端をバッグの持ち手に固定し、飾り用留具を用いて上部に飾りをつけたショルダーパッド。  本発明は、以上の構成を特徴とするバッグ用ショルダーパッドである。【選択図】図１
2013070976.tif 000002
【特許請求の範囲】
【請求項１】
布製の袋（１）のスポンジ交換口（５）からスポンジ（２）と薄いプラスティック等の板（３）を入れ、両端（４）をバッグの持ち手に固定し、飾り用留具（６）を用いて上部に飾りをつけたショルダーパッド。
【発明の詳細な説明】
【技術分野】
【０００１】  本発明は、バッグの重さを分散し、肩への負担を緩和するショルダーパッドに関するものである。
【背景技術】
【０００２】  従来、バッグの持ち手につける布、皮、プラスティック製などのショルダーパッドにはクッション性が欠けていた。
【発明の開示】
【発明が解決しようとする課題】
【０００３】  これは次のような欠点があった。
従来、バッグの持ち手につける布、皮、プラスティック製などのショルダーパッドにはクッション性が少ないため、肩への負担が大きかった。
また使用するにつれてクッション性が失われても、中のスポンジを交換することはできなかった。
本発明は、以上のような欠点をなくすためになされたものである。
【課題を解決するための手段】
【０００４】  布製の袋（１）にスポンジ（２）、薄いプラスティック等の板（３）を入れ、両端（４）をバッグの持ち手に固定する。
使用するにつれクッション性が失われた際には、中のスポンジをスポンジ交換口（５）で交換することができる。
飾り用留具（６）を用いて上部に飾りをつけることもできる。
本発明は、以上の構成よりなるバッグ用ショルダーパッドである。
【発明の効果】
【０００５】バッグの持ち手によって肩の一部分に集中していたバッグの重さを、ショルダーパッド内のスポンジと薄いプラスティック等の板によって分散し、肩への負担を緩和することができる。
バッグの持ち手にショルダーパッドの両端をしっかり固定できるので、持ち運びの際にパッドがずれることもない。
新しいスポンジと交換できるので、クッション性が失われることはない。
【発明を実施するための最良の形態】
【０００６】  以下、本発明を実施するための最良の形態について説明する。
（イ）  このショルダーパッドは、布製の袋（１）にスポンジ（２）、薄いプラスティック等の板（３）を入れたものである。
（ロ）  ショルダーパッドの両端（４）をバッグの持ち手に固定する。
（ハ）  使用するにつれてクッション性が失われた際には、中のスポンジ（２）をスポンジ交換口（５）で交換することができる。
（ニ）  飾り用留具（６）を用いて上部に飾りをつけることもできる。
本発明は、以上のような構造である。
【図面の簡単な説明】
【０００７】
【図１】本発明の斜視図である。
【図２】本発明の断面図である。
【符号の説明】
【０００８】１  布製の袋、
２  スポンジ
３  プラスティック等の板
４  両端
５  スポンジ交換口
６  飾り用留具
【図１】
2013070976.tif 000003
【図２】
2013070976.tif 000004
(57)【要約】【課題】履物の底内部に圧電素子を内蔵し、歩行、もしくは、走行する度に圧電素子に歪を起こさせ、その際に発生する電気エネルギーを履物の底内部に内蔵した蓄電池に蓄え、その蓄えた電気エネルギーを必要な時に外部に取り出す事を可能とする。【解決手段】履物の底内部に圧電素子を内蔵し、履物を履いて歩行、もしくは、走行する際に履物を持ち上げ、さらに、踏み付ける際に履物に内蔵した圧電素子に物理的歪を起こさせることで電気エネルギーを発生させ、かつ、発生した電気エネルギーを蓄電する蓄電池を内蔵し、かつ、その蓄電した電気エネルギーを外部に取り出す出力コネクタを備える構造とする事で、歩行する、もしくは、走行すると言う人間の通常の動作で電気エネルギーを発生させ、かつ、蓄積し、さらに、必要な際外部に取り出せるようにした。【選択図】図１
2013070918.tif 000002
【特許請求の範囲】
【請求項１】
靴やサンダルなどの履物の内部に圧電素子を内蔵し、履物を履いて歩行、もしくは、走行する際に履物を持ち上げ、さらに、踏み付ける際に履物に内蔵した圧電素子に物理的歪を起こさせることで電気エネルギーを発生させ、かつ、発生した電気エネルギーを蓄電する蓄電池を内蔵し、かつ、その蓄電した電気エネルギーを外部に取り出す構造を備えたことを特徴とする発電機能内蔵履物
【発明の詳細な説明】
【技術分野】
【０００１】
本発明は、履物を履いて歩行する際に履物を持ち上げ、さらに、踏み付ける際に履物に内蔵した圧電素子に物理的歪を起こさせることで電気エネルギーを発生させ、その電気エネルギーを履物に内蔵した蓄電器に蓄電し、その電気エネルギーを外部に取り出し、その電気エネルギーを活用できる様にした、発電機能を内蔵した履物に関するものである。
【背景技術】
【０００２】
圧電素子とは、圧電体に加えられた力で圧電体を物理的に歪ませることで電気エネルギーを発生させることができる素子である。この圧電素子を履物の、特に力の掛かり易い踵の部分に設置し、歩行する際に履物を持ち上げ、さらに、踏み付ける際に履物に内蔵した圧電素子に物理的歪を起こさせ、電気エネルギーを発生させるものである。
【先行技術文献】
【特許文献】
【０００３】
【特許文献１】特開２０００−２３６９０４（Ｐ２０００−２３６９０４Ａ）
【０００４】
【特許文献２】特開平８−１６３８２４
【非特許文献】
【０００５】
Ｗｉｋｉｐｅｄｉａ 「圧電素子」
【発明の概要】
【発明が解決しようとする課題】
【０００６】
履物を履いて歩く、もしくは、走る時に、履物を持ち上げ、さらに、踏み付ける際のエネルギーを有効に利用して電気エネルギーを発生させ、その電気エネルギーを外部に取り出し利用する事で、省エネルギー化が図れる点である。
【課題を解決するための手段】
【０００７】
本発明は、履物を踏み付ける際に履物に内蔵した圧電素子に物理的歪を発生させる事で電気エネルギーを発生させ、さらに、その発生した電気エネルギーを履物に内蔵した蓄電池に蓄電し、その電気エネルギーを必要な際に外部に取り出せる様にしたものである。
【発明の効果】
【０００８】
本発明の発電機能内蔵履物は、履物を履いて歩行する、もしくは、走行すると言う人間の通常の動作で電気エネルギーを発生させるもので、電気エネルギーを発生させる為に特別他の大きなエネルギーを必要とせず、かつ、蓄電した電気エネルギーを外部に取り出し利用する事で省エネルギー化が図れると言う効果を発揮するものである。
【図面の簡単な説明】
【０００９】
【図１】図１は、発電機能内蔵履物の内部構造を示した説明図である。（実施例１）
【図２】図２は、履物１を持ち上げた際の圧電素子２の状態を示すものである。圧電素子２の通常状態を示す。
【図３】図３は、履物１を地面に踏み付けた際、すなわち、着地した際の圧電素子２の状態を示すものである。圧電素子２に圧力が掛かり物理的な歪が生じている状態を示す。この歪が生じる際電気が発生する。
【図４】図４は、電子回路の例を示すものである。抵抗器４は、圧電素子２の帯電防止用である。ダイオード５は、蓄電池６から圧電素子２への電流の逆流を防止するものである。
【発明を実施するための形態】
【００１０】
圧電素子２、抵抗器４、ダイオード５、蓄電池６、出力コネクタ７を履物１の底内部に設置し、それらの各部品を電線３で接続する。圧電素子２は、履物が地面に着地する際物理的歪が生じるように、たとえば、踵の部分に設置する。
蓄電した電気を外に出力するための出力コネクタ７の部分には、外部からの水の浸入を防ぐために防水キャップ８が取り付けられる構造としている。
【実施例１】
【００１１】
図１は、本発明装置の１実施例の断面図を含む履物全体図であって、圧電素子２、抵抗器４、ダイオード５、蓄電池６、出力コネクタ７が履物１の底内部に設置されていて、それらの各部品は電線３で接続されている。
出力コネクタ７の部分には、外部からの水の浸入を防ぐために防水キャップ８が取り付けられる構造としている。
【産業上の利用可能性】
【００１２】
本発明品を装着していることで、デジタルカメラや携帯電話などが使用途中で電池切れが生じた場合でも、本発明品の電気を利用することで、更に長時間の使用が可能となる。
【符号の説明】
【００１３】
１     履物
２     圧電素子
３     電線
４     抵抗器
５     ダイオード
６     蓄電池
７     出力コネクタ
８     防水キャップ
【図１】
2013070918.tif 000003
【図２】
2013070918.tif 000004
【図３】
2013070918.tif 000005
【図４】
2013070918.tif 000006
(57)【要約】      （修正有）【課題】洗濯ばさみとシッポ状のものは別々になっていた。洗濯ばさみとシッポの物は別々のものを使わなくてはいけなく毎日のことで面倒かつ手間がかかるという欠点がある。洗濯ばさみとシッポ状の物を使うとき使いやすいようにした洗濯ばさみを提供する。【解決手段】洗濯ばさみ１の一端に筒２を設け筒２にシッポ３を設けたシッポの付いた洗濯ばさみである。洗濯ばさみ１とシッポ３が一体となっているので毎日使うとき洗濯ばさみを柄とするので使うのに何ら差し支えない。【選択図】図１
2013070981.tif 000002
【特許請求の範囲】
洗濯ばさみ（１）の一端に筒状（２）を設け筒状（２）にシッポ（３）を設けたシッポの付いた洗濯ばさみ。
【発明の詳細な説明】
【技術分野】
【００００１】この発明は洗濯ばさみの一端にシッポ状の物を設けたシッポの付いた洗濯ばさみに関する物です。
【背景技術】
【００００２】従来洗濯ばさみとシッポ状の物は別々になっていた。
【発明の開示】
【発明が解決しようとする問題】
【０００３】これは次のような欠点があった。
従来洗濯ばさみとシッポの物は別々の物を使わなくてはいけなく毎日の事で面倒！  かつ手間がかかりました。
本発明は以上のような欠点を省く物である。
【課題を解決するための手段】
【０００４】洗濯ばさみ（１）の柄（２）の片方にシッポ（３）を付けたシッポの付いた洗濯ばさみである。
【発明の効果】
【０００５】洗濯ばさみとシッポが一体となっているので毎日使う時洗濯ばさみを柄とするので使うのに何ら差し支えない。
【発明を実施するための最良の形態】
【０００６】洗濯角ハンガーを竿に引っかけて使う時風が吹いて回転したり前後に動いて窓にあたり洗濯物が汚れます。
この発明品を洗濯角ハンガーのクサリの部分に引っかけて使う事により洗濯角ハンガーは動く事なく安心して干す事が出来ます。
又単品で（スニーカー等）も干す事が出来ます。
【図面の簡単な説明】
【０００７】
【図１】本発明の斜視図である
【図２】本発明の断面図である
【符号の説明】
【０００８】１．洗濯ばさみ
２．筒
３．シッポ状の物
【図１】
2013070981.tif 000003
【図２】
2013070981.tif 000004
(57)【要約】【課題】ペットボトルのラベルを剥がすときラベルに設けられているミシン目を利用して指先などでラベルを引き剥がす作業は手や指の力、ペットボトルや器具を同時に固定するなどの力が必要となり、手や指先が上手く動かせない高齢者や女性にとっては難しい作業となる。以上のことからラベルの分別作業が思うようにおこなえないために分別作業を敬遠する人も少なくないと考えられる。  本発明は、以上の問題点を解決するためになされたものである。【解決手段】筒型をしており側面から見ると逆台形で天井の口径が底の口径よりも広くなっている形状の本体の内側に作用板と安全板を設け、作用板よりも上の位置に支え板を設け、作用板の先端には刃と刃先の反対側に支え板の間を通すためのヒレを設けたことを特徴とするペットボトルのラベル剥がし補助具。【選択図】図１
2013070985.tif 000002
【特許請求の範囲】
【請求項１】
筒型をしており側面から見ると逆台形で天井の口径が底の口径よりも広くなっている形状の本体の内側に作用板と安全板を設け、作用板よりも上の位置に支え板を設け、作用板の先端には刃と刃先の反対側に支え板の間を通すためのヒレを設けたペットボトルのラベル剥がし補助具。
【発明の詳細な説明】
【技術分野】
【０００１】  本発明は、ペットボトルに付いているラベルを剥がす作業を補うなどのペットボトルのラベル剥がし補助具に関するものである。
【背景技術】
【０００２】  従来、ペットボトルに付いているラベルは、予めラベルに備えられているミシン目などを利用してそのミシン目に指をかけて引っ張るなどの作業やカギ爪または刃先の付いた器具を利用してラベルを切ることなどによってラベルを剥がす作業がおこなわれている。
【先行技術文献】
【０００３】
【特許文献１】  特開２００４−３５０８７
【特許文献２】  特開２００５−２１９７４７
【特許文献３】  特開２００８−２５３９７１
【特許文献４】  特開２００９−１１２５９９
【特許文献５】  特開２０１０−３６２８９
【発明の概要】
【発明が解決しようとする課題】
【０００４】  ペットボトルのラベルを剥がすときには、ラベルに設けられているミシン目を利用して指先などでラベルを引き剥がす作業やカギ爪や刃先の付いた器具などを手に持ってペットボトルに押し当ててラベルを剥がす作業がおこなわれている。その際、手（指先など）の力やペットボトルや器具を同時に固定するなどの力が必要となり、少々の労力がもとめられる。ミシン目を手（指先）などで引き剥がす作業は手や指先が上手く動かせない人には難しい作業であり、十分な力を込められない高齢者や女性などにとっては難しい作業となる。以上のことからラベルの分別作業が思うようにおこなえないために分別作業の敬遠する人も少なくないと考えられる。一方、ラベル分別作業の効率化を目的として開発されている器具は両手でペットボトルと作業用器具の双方を強い力で固定しなければならないために手を滑らせて怪我を追うなど作業上の安全性についても懸念される。
本発明は、以上の問題点を解決するためになされたものである。
【課題を解決するための手段】
【０００５】  筒型をしており側面から見ると逆台形で天井の口径が底の口径よりも広くなっている形状の本体の内側に作用板と安全板を設け、作用板よりも上の位置に支え板を設け、作用板の先端には刃と刃先の反対側に支え板の間を通すためのヒレを設ける。
以上の構成よりなるペットボトルのラベル剥がし補助具
【発明の効果】
【０００６】  従来よりも軽い力で安定した状態でペットボトルのラベルへ大きな切れ込みを入れることが可能であり、切れ込みの入れられたラベルは力の弱い人でも簡単に剥がすことができるようになる。従来の方法ではラベルを剥がす作業が困難であった人（力の弱い人や手や指が思うように動かせない人）がラベルを剥がす作業を取り組む際の補助となりラベルの分別作業がおこないやすくなる。
【図面の簡単な説明】
【０００７】
【図１】本発明の斜視図
【図２】本発明の内部側面図
【図３】本発明の使用開始直後を示す内部側面図
【図４】本発明の使用状態を示す内部側面図
【本発明を実施するための形態】
【０００８】（イ）  筒型をしており側面から見ると逆台形で天井の口径が底の口径よりも広くなっている形状の本体（１）の内側に弾性のある板２枚を設け、上の板を作用板（２）下の板を安全板（３）とする。さらに作用板（２）の上の位置に支え板（５）を設け、作用板（２）安全板（３）支え板（５）は縦に並ぶように設ける。
（ロ）  作用板（２）の先端に刃先が下へ向くように刃（４）を設ける。さらに刃の向きと反対側には板状のヒレ（６）を設ける。
（ハ）  支え板（５）は逆Ｖの字型になっており、支え板（５）の間に入り込んできたヒレ（６）を支えて安定性を保ち、作用板（２）の先端が本体（１）から飛び出さないように設置してある。
本発明は以上のような構造である。
本発明を使用するときは、ペットボトルの上から本体（１）を通してゆっくりと下まで移動させる。本体（１）がペットボトルの上から下まで移動していく間に、作用板（２）ならびに安全版（３）は弾性に従ってペットボトルの表面を沿うように変化し、作用板（２）の先端にある刃（４）がラベルをなぞるように切れ込みを入れていくようになっている。
作用板（２）に設けたヒレ（６）が本体側に設置されている支え板（５）の間に入りながら移動することでラベルに対してまっすぐな切れ込みを入れられるようになっている。同時に、ヒレ（６）が支え板（５）の奥で止められることで適度な力が刃（４）に加えられるようになっている。
安全板（３）は使用していないときに作用板（２）に設けてある刃（４）が本体（１）よりも外側へ出ないようにしており、本体（１）を下から手で触っても簡単に刃（４）に触れることができないようになっている。
【符号の説明】
【０００９】１  本体、２  作用板、３  安全板、４  刃、５  支え板、６  ヒレ
【図１】
2013070985.tif 000003
【図２】
2013070985.tif 000004
【図３】
2013070985.tif 000005
【図４】
2013070985.tif 000006
(57)【要約】【課題】  回転寿司のような業態では粉末のお茶はセルフサービス面からは優れているといえるが、その一方で、お湯を注ぐだけではうまく溶けないという欠点もまだ有していた。【解決手段】  所定の長さにカットされたストローを金型にセットし両端を所望の形状に加工するのだが、一端は複数片に割れたブラシ部分２にするために、所定の長さを平らにプレスすると同時にテーパ状に開いた複数の刃で裏側まで切込みを入れ、同時にもう一端を熱溶着で閉じる。もう一端が熱溶着で閉じられるとき、押しつぶされて平らになる部分が屋号や文字などが浮き出しになるようにもすることもできる。【選択図】図１
2013070987.tif 000002
【特許請求の範囲】
【請求項１】
樹脂製ストローもしくは加工途中の樹脂製ストロー先端部を平らにプレスすると同時にテーパ状に開いた複数の刃で裏側まで切込みを入れて複数片からなるブラシ部分となし、同時か後で、もう一端が熱溶着で閉じられてなる軽便な茶筅。
【請求項２】
もう一端が熱溶着で閉じられるとき、押しつぶされて平らになる部分が浮き出しの屋号や文字などに加工されてなる請求項１記載の軽便な茶筅。
【発明の詳細な説明】
【技術分野】
【０００１】  本発明は、粉末茶の軽便な茶筅に関するものである。
【背景技術】
【０００２】  すし業界におけるお茶の提供は、すしを美味しく食べるための重要なものと位置付けされてきた。近年隆盛でセルフサービスタイプのいわゆる回転すし店でも必ず客席にお茶用のお湯蛇口があることでもそれを物語っている。すし用のお茶は伝統的に粉茶が使用されてきたが、回転すし業界では省力化や茶殻の後処理の問題からセルフサービスが可能な粉末茶が使用されることが多い。この粉末にしたお茶なら各自が専用の茶入れからさじで茶碗に入れ湯を注ぐだけで溶けやすいから急須も不要で茶殻の後始末をしなくてもよい。まさに回転すしの業態に合ったサービスと言ってよい。ティーバッグ式の粉茶もあったが、やはり茶殻の後始末とコスト面で不利であり粉末のお茶に変えるところが増えている。
【発明の開示】
【発明が解決しようとする課題】
【０００３】  背景技術でも述べたとおり、回転寿司のような業態では粉末茶はセルフサービス面からは優れているといえるが、その一方で、お湯を注ぐだけではうまく溶けないという欠点もまだ有していた。最近は改善もされているようだがやはり完全には溶けず、どろりとした粉が口の中で不快に感ずる場合もあり仕方なく箸を使ってかき混ぜるといった和食マナーから外れた光景をよく目にする。粉末のお茶用のマドラーや茶筅があればよいのだがコストと後処理の手間そして衛生面の問題からか実現していない。もちろん専用の使い捨てタイプのものも見られない。
【課題を解決するための手段】
【０００４】  本発明は、このような課題を解決するために軽便で低コスト、かつ後処理もしやすい使い捨ての茶筅を広く提供するものであるから、軽便で低コスト、かつ後処理もしやすい使い捨ての茶筅を得るには、飲料用のストロー製造技術を応用して作る。もともと茶筅の素材の竹とストローは中空のパイプ状素材と言う点で共通点があり、先端を複数に割ればブラシ状になるというところも大きな理由である。しかし、ストローの先端を単にブラシ状に加工すれば出来上がりというものではない。ストローのもう一方の開放された端は必ず閉じねばならない。もう一端が開放されたままだと幼児などが熱いお茶などを吸い込んで火傷をする恐れがあるからである。熱溶着や超音波溶着で開口部をしっかりと閉じる。材料となるストローは従来からのポリプロピレン樹脂もしくは生分解性の安全な樹脂を用いて、直径６ｍｍ程度のものを用い、全長は最長１５０ｍｍあればほとんどの湯飲みに対応できる長さといえよう。先端をブラシ状にするためには、先端部２０ｍｍ程度を平らにプレスすると同時にテーパ状に開いた３枚刃で裏側まで切込みを入れて６片に分かれるようにする。こうすれば茶碗内で攪拌したときに適度の腰を有する茶筅となる。６片程度の分割ならば容易に折れたりはしにくい。このようにして一端が開口してブラシ状となり、もう一端が逆テーパ状に溶着加工された軽便な茶筅が得られる。逆テーパ状に溶着加工された端部は手で持ったときに指と指の間におさまりやすく持ちやすい。この軽便な茶筅をバラのまま箱詰めにしてもよいが、一本ごとに袋に密封してもよい。この方が衛生的である。生分解性樹脂を用いれば環境にも優しい配慮となる。【０００５】  ストローの製造は、小口径で薄肉のパイプになるよう樹脂を押し出して得るのだが、そのストローの一部を蛇腹加工して曲げられるようにしてあるものが多い。このような製品の場合、ストローの製造工程は、長尺のパイプ加工と所定の長さにカットするという前段階の製造工程と蛇腹加工などの後工程の二つに大別できる。前後の製造工程が連続してなされる場合と、別々の工程として行う場合とがあるがどちらでも構わない。本発明の軽便な茶筅を作るために、一つの例を挙げれば、所定の長さにカットされたストローを金型にセットし両端を所望の形状に加工するのだが、一端は６片に割れたブラシにするために、所定の長さを平らにプレスすると同時にテーパ状に開いた複数の刃で裏側まで切込みを入れてブラシ状となし、同時にもう一端を熱溶着で閉じる。これを冷却後に金型から取り出して完成させる。この加工では、もう一端が熱溶着で閉じられるとき、押しつぶされて平らになる部分が屋号や文字などが浮き出しになるようにもすることもできる。
【発明の効果】
【０００６】  上述したような手段による本発明の軽便茶筅は、従来のストロー製造工程を半ば応用できるので追加の加工工程を加えても工程は単純でありかつ連続加工も可能なので、製造コストも従来のストローとあまり変わらないという経済効果を持つ。
【発明を実施するための最良の形態】
【実施例】
【０００７】本発明を図１から図５に基づいて説明すると、図１では本発明の軽便な茶筅１を手８で持ち茶碗７の中の粉末茶９を攪拌していることを示している。軽便な茶筅１は６ｍｍ程度のストローを長さ１５０ｍｍにカットして加工したもの。ブラシ部分２は先端から２０ｍｍを縱に６片に分割していて、断面は軽く楕円になっている。図５は型押しされた端部６を示す。この場合、溶けて溶断しないように温度を調節管理する。
【産業上の利用可能性】
【０００８】  本発明の軽便な茶筅は以上のようにシンプルかつ合理的な構造で低コストを実現できるので、回転すしの業態に新たなサービスを提供できる。
【図面の簡単な説明】
【０００９】
【図１】  本発明の軽便な茶筅を使用するときの斜視図
【図２】  本発明の軽便な茶筅の正面図
【図３】  本発明の軽便な茶筅の底面図
【図４】  本発明の軽便な茶筅の平面図
【図５】  本発明の軽便な茶筅の型押しされた端部を示す部分図
【符号の説明】
【００１０】１    軽便な茶筅
２    ブラシ部分
３    柄部分
４    熱溶着された端部
５    切り込み部
６    型押しされた端部
７    茶碗
８    手
９    粉末茶
【図１】
2013070987.tif 000003
【図２】
2013070987.tif 000004
【図３】
2013070987.tif 000005
【図４】
2013070987.tif 000006
【図５】
2013070987.tif 000007
(57)【要約】【課題】洗濯ネットは、洗濯使用後個々で色んな場所で保管されており、収納方法は様々であった。又、洗濯使用後の洗濯ネットは干さずに保管した際、臭いの原因にもなった。  本発明は、洗濯ネットを収納したり、干したりできる洗濯ネットラックを提供する。【解決手段】洗濯ネットと類似素材を使用したラックで、両面にポケットを設けたことを特徴とする洗濯ネットラック。【選択図】図１
2013070986.tif 000002
【特許請求の範囲】
【請求項１】
洗濯ネットと類似素材を使用したラックで、両面にポケットを設け、取り外し可能なハンガーを設けた洗濯ネットラック。
【請求項２】
取り外し可能なハンガーの引っかけ部分は３６０°回転可能である。
【発明の詳細な説明】
【技術分野】
【０００１】  本発明は、洗濯ネットを収納したり、干したりできるラックに関するものである。
【背景技術】
【０００２】  従来、洗濯ネットは個々で色んな場所で保管されていた。又、洗濯ネットを使用後に干す行為も面倒で個々まちまちであった。
なお、ハンガー付き洗濯ネットが知られている（特許文献１参照）。
【先行技術文献】
【特許文献】
【０００３】
【特許文献１】特開１０−１１８３８６
【発明の概要】
【発明が解決しようとする課題】
【０００４】  洗濯ネットは、洗濯使用後個々で色んな場所で保管されており、収納方法は様々であった。又、洗濯ネットは干さずに保管した際、臭いの原因にもなった。
本発明は、以上の問題点を解決するためになされたものである。
【課題を解決するための手段】
【０００５】  洗濯ネットと類似素材を使用したラックで両面にポケットを設け、取り外し可能なハンガーを設ける。
以上の構成からなる洗濯ネットラック。
【発明の効果】
【０００６】  従来、洗濯ネットの収納方法や保管場所・洗濯ネットの臭いに困っていたが本発明によりこの２点が同時に解決することができる。
【図面の簡単な説明】
【０００７】
【図１】本発明の斜視図
【図２】本発明の側面図
【発明を実施するための形態】
【０００８】  以下、本発明の実施の形態を説明する。
（イ）洗濯ネットラック（１）の上部に、取り外し可能なハンガー（２）を設ける。
（ロ）ハンガー（２）の引っかけ部分は、回転可能である。
（ハ）洗濯ネットラック（１）の両面にポケット（３）を設ける。
（ニ）各ポケット（３）上部には、絞り可能な紐（４）を設ける。
本発明は、以上のような構造である。
本発明を使用するときは、洗濯使用後の洗濯ネットを洗濯ネットラック（１）に入れる。洗濯ネットラック（１）にはポケット（３）が両面に設けてあるので、洗濯ネットのサイズや型によって入れ分けることが可能である。入れたあとはポケット（３）の上部に設けてある紐（４）をしめ、風などで揺れ落ちることを防ぐ。
これより、洗濯物同様にハンガー（２）を使い干し、乾燥後は洗濯ネットラック（１）のまま取り込み、洗濯場や洗濯ルーム、もしくは洗濯機周りなどにハンガー（２）のままかけた状態で、美観をそこなわず保管できる。
取り外し可能なハンガー（２）の為、時には洗濯ネットラックも洗えるので衛生的である。
【符号の説明】
【０００９】  １  洗濯ネットラック、  ２  ハンガー、  ３  ポケット、  ４  紐
【図１】
2013070986.tif 000003
【図２】
2013070986.tif 000004
(57)【要約】【課題】  金属パイプをアーチ形に形成したアーチのペアーに広幅の連結枕を組み付けるける構成で、高さを締結リング又は開閉式固定具に前後の架設部材を架け渡して構成する。【解決手段】  架設部材を複数連結具で連結し、該架設部材間に設けた間隙にアーチを嵌入れて締結具上に載置して連結枕を組みつける。【選択図】図２
2013070988.tif 000002
【特許請求の範囲】
【請求項１】
枕材相互を所定間隔隔離し、該枕材相互間にアーチを挿入せしめて該アーチに係止した係止具で所定の高さに係留して成るアーチ固定構造。
【請求項２】
枕材に設けたボルト孔に枕材複数を横方向に連結し、該枕材間にアーチを嵌めるとともに下方に係止した開閉式固定具に載置して成るアーチベットの連結枕。
【請求項３】
金属パイプをアーク形に形成したアーチのペアーを用いてアーチの外周に嵌まる開閉式固定具と該固定具に着脱自在で両端部にアーチ溝を設けた架設部材と該架設部材を所定の高さにアーチに設定する開閉式固定具およびアーチの下端部に設けた支持金具の突出部先端をアーチの下方から嵌め込み可能としてあるペアーのアーチで立体的に構成したベッドの枕材に設けたボルト孔に通したボルトで枕材複数を横方向に連結するとともに、該枕材間にアーチを挿入するとともに下方に係止めした固定具に載置して成るアーチベッドの連結枕。
【発明の詳細な説明】
【技術分野】
【０００１】  本発明はアーチベッドの枕に関する。
【背景技術】
【０００２】  従来、アーチベッドの枕は一本の架設部材の両側に設けたア−チ溝をアーチに嵌めこんで該架設部材の中程を枕の台として使用している。あるいは又、単にネット自体に頭の重みを載せる寝具としての使用であった。【０００３】
【特許文献１】特開２０１０−０１２１１３４
【特許文献２】特開２００４−２０８９５５
【特許文献３】特開平１０−１１７８９４
【特許文献４】特許第４６７３４３８
【発明の開示】
【発明が解決しようとする課題】
【０００４】  本発明の解決すべき第１の課題は頭の重量は特別重くて支持部の負荷を支えるためにネット全体の強度が必要で、ネットを構成するロープの柔軟性・耐久性などで改善すべき難題がある。第２の課題は頭の支持部は適当な柔軟性と揺れ止めのために広くて安定した幅も必要で、第３の課題は高さが適切に調節できることで、第４の課題は着脱自在として組み立て・解体を簡単にすることである。
【課題を解決するための手段】
【０００５】  本発明は請求項１においては枕材相互を所定間隔隔離し、該枕材相互間にアーチを挿入せしめて該アーチに係止した係止具で所定の高さに係留めして成るアーチ固定構造であり、請求項２は枕材に設けたボルト孔に枕材複数を横方向に連結し、該枕材間にアーチを嵌めるとともに下方に係止した開閉式固定具に載置して成るアーチベッドの連結枕であり、請求項３は金属パイプをアーク形に形成したアーチのペアーを用いて、アーチの外周に嵌まる開閉式固定具と該固定具に着脱自在で両端部にアーチ溝を設けた架設部材と該架設部材を所定の高さにアーチに設定する開閉式固定具およびアーチの下端部に設けた支持金具の突出部先端をアーチの下方から嵌め込み可能としてあるペアーのアーチで立体的に構成したベッドの枕材に設けたボルト孔に通したボルトで枕材複数を横方向に連結するとともに、該枕材間にアーチを挿入するとともに下方に係止した固定具に載置して成るアーチベッドの連結枕。
【発明の効果】
【０００６】  本発明により、横架け材の幅を広く構成する連結枕とし、頭の位置を上下に移動し易くしてダブルハンガー的な中間部に柔軟な素材を配して厚みを自在とし上下方向にリラックスせしめる。部屋の隅に置いて移動し易くたかさも調節し易く軽量でコンパクトで、アーチを利用して下着・布団・毛布・寝具の干し場とし、照明を設けて深夜の勉強室にしたり、カーテン・暗幕などで即席の安眠室に変化・介護ベッドに低価格で転用可能・下着なども乾燥可能な空間を提供できるので省エネ生活が可能になる。組み立ても手指のボルト締めなので簡単である。
【発明を実施するための最良の形態】
【０００７】  本発明はペアーのアーチ１が前後の支持台２にネジ固定した支持金具３に上方からアーチの下端を差し込んである。該ペアーは上部の両側の締結リング（又は開閉式固定具）に着脱自在の幅部材により所定間隔で並立支持される。
さらに支持台２より若干高い所定位置の前後両側に開閉式固定具３が係止してあり、前後の架設部材１１，１２は該開閉式固定具３に載置してあるので下方には下がらず、もちあげれば、上昇自在である。該架設部材には寝具の荷重が架かるるので組み立て後は安定して使用できる。該前後の架設部材１１・１２のうち前の架設部材にはアーチに差し入れるアーチ溝が設けてあり、後の連結枕とした架設部材とに底部材が取り付けてある。
上記架設部材は間伐材が利用可能でコストの安いエコ製品が提供できる。
【産業上の利用可能性】
【０００８】  本発明により解体収納に便利であり、災害時の救急ベッドとして運搬容易で即応性があり、床の構成や素材に関係なく設定可能で、障害者にも安眠し易いベッドを提供できる。
【図面の簡単な説明】
【０００９】  各図はいずれも本発明による縮小概略図で、
【図１】  は横架け材による連結枕の設定の斜視図
【図２】  連結枕の構成の側面図
【図３】  横架部材の平面図、
【図４】  連結枕の平面図
【図５】  従来のアーチベッド
【符号の説明】
【００１１】１  アーチ              １１  横架材
２  支持台              １２  連結枕
３  開閉固定具
【図１】
2013070988.tif 000003
【図２】
2013070988.tif 000004
【図３】
2013070988.tif 000005
【図４】
2013070988.tif 000006
【図５】
2013070988.tif 000007
(57)【要約】【課題】プラスチックの硬い素材で作られていることにより、植木の生長に合わせて行う植え替え作業の際、植木鉢の中の植木の土は、根がはり固くなってしまっているためなかなか植木が鉢から取り出せず、取り出す作業が容易でなかった。無理に、植木を取り出そうとすると、植木を傷めてしまうこともあった。  植木を植え替えした後の使わなくなった植木鉢は、形や大きさも様々なため、収納スペースを案外使うものであった。  本発明は、植木鉢の素材に柔軟なシリコンを使用した折りたたみ式植木鉢を提供する。【解決手段】シリコン素材を使用して植木鉢の本体を形成し、本体の筒壁に折りたたみ部分を設け、頂部の外周を囲むフランジを設け、底壁に水抜き穴を設け、底壁下部外周に脚部を設け、脚部下側に水はけ口を設けたことを特徴とする折りたたみ式植木鉢。【選択図】図１
2013070697.tif 000002
【特許請求の範囲】
【請求項１】
シリコン素材を使用して植木鉢の本体を形成し、本体の筒壁に折りたたみ部分を設け、上部の外周を囲むフランジを設け、底壁に水抜き穴を設け、底壁下部外周に脚部を設け、脚部下側に水はけ口を設けた折りたたみ式植木鉢。
【発明の詳細な説明】
【技術分野】
【０００１】  本発明は、植木鉢の素材にシリコンを使用した、折りたたみ式植木鉢に関するものである。
【背景技術】
【０００２】  従来、植木鉢は、プラスチックの硬い素材で作られていた。
【先行技術文献】
【０００３】
【特許文献１】  特開２００３−６１４７１号公報
【発明の概要】
【発明が解決しようとする課題】
【０００４】  これは、次のような欠点があった。
プラスチックの硬い素材で作られていることにより、植木の生長に合わせて行う植え替え作業の際、植木鉢の中の植木の土は、根がはり固くなってしまっているためなかなか植木が鉢から取り出せず、取り出す作業が容易でなかった。無理に、植木を取り出そうとすると、植木を傷めてしまうこともあった。
植木を植え替えした後の使わなくなった植木鉢は、形や大きさも様々なため、収納スペースを案外使うものであった。
本発明は、以上の問題点を解決するものである。
【課題を解決するための手段】
【０００５】  シリコン素材を使用して植木鉢の本体を形成し、本体の筒壁に折りたたみ部分を設け、上部の外周を囲むフランジを設け、底壁に水抜き穴を設け、底壁下部外周に脚部を設け、脚部下側に水はけ口を設ける。
本発明は、以上の構成よりなる折りたたみ式植木鉢である。
【発明の効果】
【０００６】  植木鉢の本体に、柔軟なシリコン素材を使用したことで、植木の生長に合わせて行う植え替えも、根がはって固くなってしまった土を周りから押し崩すことができ、植木鉢の中に植木と土が入ったままの状態で植木鉢を折りたたむことも可能であるため、植木の取り出しが容易になり、植え替え作業時の苦労であった手間が減少できる。
収納時、植木鉢が折りたためることにより、従来の植木鉢と比べてコンパクトなサイズになり、大きさに関わらず積み重ねることができるため、収納スペースが縮小できる。
【図面の簡単な説明】
【０００７】
【図１】本発明の拡張された状態の斜視図
【図２】本発明の拡張された状態を底部から見た斜視図
【図３】本発明の折りたたまれた状態の斜視図
【発明を実施するための形態】
【０００８】以下、本発明の実施の説明をする。
（イ）シリコン素材を使い鉢形に形成し、植木鉢の本体（１）を作る。
（ロ）植木鉢の本体（１）の筒壁に、折りたたみ部分（２）（３）（４）（５）を交互に凹凸して折りたたまれるように設ける。
（ハ）植木鉢の本体（１）上部の外周を囲むようにフランジ（６）を設ける。
（ニ）植木鉢の本体（１）の底壁に、数箇所水抜き穴（７）を設ける。
（ホ）植木鉢の本体（１）の底壁下部外周を囲むように、脚部（８）を設ける。
（ヘ）脚部（８）下側に、数箇所水はけ口（９）を設ける。
本発明は、以上のような構造である。
本発明を使用するときは、折りたたまれた状態にある植木鉢の本体（１）の上部フランジ（６）を片方の手で掴み、もう片方の手で脚部（８）を掴み、上下に引き伸ばして拡張し植木鉢として使用する。
植木の植え替えをするときは、植木と土が入ったままの状態で、植木鉢の本体（１）の外側から押し崩し植木を取り出し易くし、取り出す。または、植木と土が入ったままの状態で、植木鉢の本体（１）の上部フランジ（６）を両手で掴み下方向に圧力をかけ引き下げ、折りたたみ部分（２）（３）（４）（５）を交互に折りたたまれるよう折りたたみ、植木を取り出す。
収納するときは、植木鉢が拡張している状態にある場合は、植木鉢の本体（１）の上部フランジ（６）を両手で掴み下方向に圧力をかけ引き下げ、折りたたみ部分（２）（３）（４）（５）を交互に折りたたまれるよう折りたたみ収納する。
【符号の説明】
【０００９】  １植木鉢の本体、２折りたたみ部分、３折りたたみ部分、４折りたたみ部分、
５折りたたみ部分、６フランジ、７水抜き穴、８脚部、９水はけ口
【図１】
2013070697.tif 000003
【図２】
2013070697.tif 000004
【図３】
2013070697.tif 000005
(57)【要約】【課題】  散歩時は常にリードループ部を握りしめている状態で手がふさがり、リードが長く余った部分を手に巻きつけ長さ調整したり、糞尿処理時はリード一端部を足で踏んで逃げないようにしたり、リードループ部を手首に通した状態で処理作業を行っていたが、リードループ輪が大きすぎて手首から抜けてしまい、抜けないように処理作業をするには煩わしく安全に散歩が出来なかった。本発明は、安全に犬の散歩が出来る手首絞めつけ固定犬用リードを提供する。【解決手段】  犬の散歩時に使用するリードであり、リード長さ調整具２によりループ状を形成し、手首絞めつけ固定具３にループ状部を挿入する事により手首通しループ部４を形成し、リード本体端部に首輪通引掛け部１を設けたことを特徴とする手首しめつけ固定犬用リード。【選択図】図１
2013070691.tif 000002
【特許請求の範囲】
【請求項１】
犬の散歩時に使用するリードであり、リード長さ調整具２によりループ部状を形成し、固定具３にループ部を挿入し、手首通しループ部４を形成し、リード本体端部に首輪通引掛け部１を設けたことを特徴とする手首しめつけ固定犬用リード。
【発明の詳細な説明】
【技術分野】
【０００１】  本発明は、犬の散歩用リードに関するものである。
【背景技術】
【０００２】  従来、犬の散歩用リードは逃走防止、通行人、他犬への飛びかかり、道路への飛びしなどを防ぎ、緊急時に即座にリードが引け、安全に散歩できるように常にリードを手で握りしめ、リード長が余っていた部分を手に巻きつけながら散歩をしていた。
【発明の概要】
【課題を解決しようとする手段】
【０００３】  散歩時は常にリードループ部を握りしめている状態で手がふさがり、リードが長く余った部分を手に巻きつけ長さ調整したり、糞尿処理時はリード一端部を足で踏んで逃げないようにしたり、リードループ部を手首に通した状態で処理作業を行っていたが、リードループ部輪が大きすぎて手首から抜けそうになり、抜けないように処理作業をするには煩わしく安全に散歩が出来なかった。
本発明は、以上の問題点を解決するためになされたものである。
【発明の効果】
【０００４】  リードを手で握り続ける必要が無く手首に絞めつけ固定が出来るので緊急時にはすぐにリードが引け、糞尿処理時もリードループ部が手首から抜ける事がなく処理に集中が出来て、リードの長さ調整が可能になる事により犬種や性格や散歩しつけ訓練時に合わせたリード長さ調整が出来て、安全に散歩を行うことができる。
【図面の簡単な説明】
【０００５】
【図１】本発明の斜視図
【図２】本発明の側面図
【図３】調整具の断面図
【図４】本発明の使用状態を示す斜視図
【発明を実施するための形態】
【０００６】  図１〜図４を参照にして一つの実施の形態を説明する。犬の散歩時に使用するリード本体Ａである。リード本体Ａは犬の大きさに合わせ、安全な散歩をする為に例えば、８０ｃｍ〜１５０ｃｍの長さである。幅は４ｍｍ〜３０ｍｍの断面形状か帯状または円柱型で材質は合成繊維である。
材質に関しては犬に負担がかからない物に関しては、発明の効果が変わらない範囲で自由に選択する事が出来る。
【０００７】  薄板状のリード長さ調整具２は金属板であり、その厚さは１ｍｍ〜４ｍｍ以内である。調整具２は散歩時にリードが自動的に延び縮みしないようにする為に金属板だけではなく例えば、プラスチック樹脂素材等、堅い薄板状であることが望ましい。図４で示すように、調整具２は普通一般のバックル構造と同様である為、２つの通過孔６を有している。したがって、調整具２の取り付け部７にリード本体の一端部が取付けられる。取り付け部７は調整具２の中央に設けていることが好ましい。これにより、通過孔６を通ったリード部と摩擦力が生じ保持力が増す。
リード本体Ａはリード長さ調整具６の通過孔を通過する事により、リード本体Ａの長さ調整が出来る。
【０００８】  手首通しループ部４はリード長さ調整具２によりループ状が形成されている。ループ状部に手首絞めつけ固定具３を挿入する事により手首通しループ部が縮小、拡大する。手首通しループ部に腕を挿入し、手首への固定締め付け、手首からの取り外しが可能となる。
【０００９】  リード本体端部、つまりループ部と反対側には首輪通引掛け部１を設ける。
【符号の説明】
【００１０】  （１）首輪通引掛け部、（２）リード長さ調整具、（３）手首絞めつけ固定具、（４）手首通しループ部、（５）リード長調整部、（６）通過孔、（７）リード端固定部
【図１】
2013070691.tif 000003
【図２】
2013070691.tif 000004
【図３】
2013070691.tif 000005
【図４】
2013070691.tif 000006
(57)【要約】【課題】イカスミの栄養価、旨味成分を加えた豆腐を提供する。【解決手段】沸騰した豆乳にイカスミを入れ煮立て、タイミングを見計らい、にがりを加える。【特許請求の範囲】
【請求項１】
豆腐製造過程において、にがり投入前にイカスミを投入するイカスミ豆腐
【発明の詳細な説明】
【技術の分類】
【０００１】本発明は、豆乳にイカスミを混入した豆腐に関するものである。
【背景技術】
【０００２】豆腐は豆乳のみの加工食品である。
【発明の概要】
【発明が解決しようとする課題】
【０００３】豆乳のみの加工食品である豆腐にイカスミを加えることによって、大豆のみの栄養成分にイカスミのアミノ酸、ムコ多糖が加わり、栄養価及び旨味を増す豆腐になる。
【課題を解決するための手段】
【０００４】豆乳を火にかけ沸騰した時点で、にがりを投入する前にイカスミを投入することにより解決した。
【発明の効果】
【０００５】大豆の良質なタンパク質や脂質、ミネラル、ビタミンに、イカスミの旨味成分アミノ酸、ムコ多糖が加わり、より美味しく栄養価の高い豆腐になる。
【発明を実施するための最良の形態】
【０００６】豆乳を沸騰するまで加熱した後、イカスミを投入する。豆の青臭さ、イカスミの生臭さが無くなるまで煮立てた後、にがりを加える。
(57)【要約】      （修正有）【課題】にんにく茶を、お湯で好みの濃度に希釈する。そこに適量（好みの塩分量）の還元塩を添加して軽くかき混ぜることにより簡単に温泉効果を得ることができる飲料及びその提供方法を提供する。【解決手段】イオウの含まれた食材を加熱処理するか、にんにく茶に還元塩を入れる等の還元作用を施す事で、より吸収の良いにんにく茶やイオウ成分を味わいながら還元されたミネラルを同時に吸収出来る。その効果として体温上昇効果を体内から味わう温泉浴であり、イオウ系温泉等に行かずに何処でも安価に味わえる方法である。【選択図】なし【特許請求の範囲】
【請求項１】
にんにく、ネギ、ニラ、海藻等のイオウを含む食材に還元材を加えた温泉効果を得ることのできる飲料。
【請求項２】
にんにく、ネギ、ニラ、海藻等のイオウを含む食材を飲食する際に、焙煎等の酸化加工をしたのちに還元材により還元作用を施して摂取するようにしたことを特徴とする飲料を提供する方法。
【発明の詳細な説明】
【技術分野】
【０００１】
本発明は、イオウの含まれた野菜、例えばにんにく、ネギ、ニラ等々を利用して、それに還元材を加えて飲む事により、温泉浴と同じ効果の発汗作用を再現する、即ち飲む温泉効果を得る方法に関するものである。
【背景技術】
【０００２】
にんにく、ネギ、ニラ等々の野菜は、イオウを含む化合物であり、それを飲食する事によって体温上昇効果等は知られる所である。中でもにんにくを焙煎し飲めるように工夫をしたサプラテクノ社製の商品を利用すれば、より簡単に効果が表れる。
【０００３】
身体を温める作用に温泉が良く知られますが、温泉地まで行かなくても温泉の素なども数多く販売されている。それらは天然の湯の華であったり、科学的に合成された薬剤を使用するものなどもある。効果の程はよく分からないものも多く、もともとお風呂自体の温浴効果だけなのかも知れない。
【０００４】
また昨今は低体温症が叫ばれ、唐辛子等のカプサイシンや生姜等も体温上昇効果が人気になってはおりますが一時的作用であったり、また辛いものが苦手な人には向かないものである。
【発明の概要】
【発明が解決しようとする課題】
【０００５】
温泉に行くには旅行を兼ねてなら良いですが、効果的な温泉が近くにあるとは限らず、また唐辛子では辛過ぎたり、生姜では持続性に欠ける事と効果自体も少ない。そこでイオウ化合物であるにんにく、ネギ、ニラ等々を焙煎してお茶にし、それに還元材を加えて飲む。その際、既に商品化されているサプラテクノ社製のにんにく茶を利用すればより簡単に出来る。例えば、既に焙煎されているサプラテクノ社製のにんにく茶を、飲む前に還元材を入れて飲む事で吸収性を増し発汗作用を得る飲み方が出来る。
【課題を解決するための手段】
【０００６】
本発明の温泉効果を得ることのできる飲料は、にんにく、ネギ、ニラ、海藻等のイオウを含む食材に還元材を加えた温泉効果を得ることのできる飲料である。
【０００７】
また、本発明の飲料を提供する方法は、にんにく、ネギ、ニラ、海藻等のイオウを含む食材を飲食する際に、焙煎等の酸化加工をしたのちに還元材により還元作用を施して摂取するようにしたことを特徴とする。
【発明の効果】
【０００８】
にんにくをはじめネギ類野菜の含有するイオウは、硫酸還元によって硫化水素に変化する。そしてチオール（メルカプタン）あるいはスルホ基としてタンパク質に取り込まれる。そして硫酸塩は活性型のイオウになり、その結果体温を上昇させたり、ジスルフィド結合によりデトックス効果や様々な作用を発揮する。よく知られる所では血管拡張作用や血小板の凝集を抑制したり、流れの良い血液また血管を維持する効果も期待できる。
【０００９】
温浴効果は体温の上昇に期待できる事で、古くからよく知られている。体温の低下は免疫力も低下する。最近では低体温症による様々な現象なども発表され書籍で販売されるほどであり、体温を上昇させる事が飲むだけで簡単に日常的に出来る事は低体温の様々な悪い事が解消できるのである。
【発明を実施するための形態】
【００１０】
本発明を具体的に実施する際には、サプラテクノ社製にんにく茶に還元塩を入れる。又は還元素材や還元水その物、また水素水等を入れる事でもよい。さらに、イオウを含む食材、にんにく、ネギ、ニラ、海藻等々を焙煎等の酸化加工をしたのちに飲食する際に還元塩や還元作用の施しをする事でもよい。
【００１１】
本発明は、飲料や飲料の提供方法だけではなく、広く応用が可能なものである。例えば、還元状態にあるお湯や浴槽等ににんにく茶を入れる等により、温泉浴とする事も可能である。
【００１２】
具体的には、販売されているサプラテクノ社製のにんにく茶を、お湯１５０mlの量に対してにんにく茶の原液を２,５ml或いはその前後や好みの希釈で作り、そこに還元力の高い塩を適量入れるだけである。
【００１３】
還元力の高い塩とは過去に熱せられた状態で、長時間無酸素状態で存在している塩。例えば地殻変動時に、マグマに熱せられて海水が固まった様な岩塩等。また最近では高温で焼いた塩等もミネラルが豊富であり効果的である。
【００１４】
また還元塩以外では、マグネシウムや活性カルシウム、またその他還元性の高い鉱物や、電気分解等の作用でも効果は考えられる。但し飲むものであり、美味しさも兼ねるミネラルの豊富な塩が最適である。
【００１５】
例えばサプラテクノ社製のにんにく茶をお湯で希釈する。希釈目安は１５０mlのお湯に対して２,５mlの原液を入れて通常のにんにく茶状態を作る。そこにおよそ０．５ｇ程度の還元塩を入れて軽くかき混ぜる。するとそのにんにく茶は還元材されて硫化水素臭が漂い、味は美味しくそのままでもスープとして飲む事が出来る。飲む場合に臭いが気になる人は長ネギを刻んで入れたり生姜を少し入れる事で臭いは消えて美味しく飲める。その状態で、およそ１〜２杯飲むと発汗作用が始まり、その持続は長く続くが、その後にお風呂に入ると更に長時間はポカポカ状態を維持する。